(57)【要約】【課題】  家具の側面や天面に傷をつけることなく、家具を壁に沿って確実に保持しうる家具の転倒防止装置を提供する。【解決手段】  本発明の家具の転倒防止装置１は、壁Ｗに固定されるレール２と、このレール２に沿って移動可能かつ任意の位置に固定可能に取り付けられる家具保持部材３とからなる。家具保持部材３は、家具Ｆの側面又は天面に当てがわれる平坦な当接面部を具備し、この当接面部に粘着シート３４が貼着される。この粘着シート３４を介して家具Ｆを側方から挟持、又は上方から押圧することにより家具Ｆの転倒を防ぐ。【選択図】  図４
2009119142.tif 000002
【特許請求の範囲】
【請求項１】
壁に固定されるレールと、このレールに沿って移動可能かつ任意の位置に固定可能に取り付けられる家具保持部材とからなる家具の転倒防止装置において、
前記家具保持部材は、家具の側面又は天面に当てがわれる平坦な当接面部を具備し、この当接面部に粘着シートが貼着されていることを特徴とする家具の転倒防止装置。
【請求項２】
壁に固定されるレールと、このレールに沿って移動可能かつ任意の位置に固定可能に取り付けられる家具保持部材とからなる家具の転倒防止装置において、
前記家具保持部材は、家具の側面又は天面に当てがわれる当接面部を具備し、この当接面部に吸盤が取着されていることを特徴とする家具の転倒防止装置。
【請求項３】
請求項１又は２に記載の家具の転倒防止装置において、
家具保持部材の当接面部が、バネその他の弾性材によって家具への当接方向に付勢されていることを特徴とする家具の転倒防止装置。
【請求項４】
請求項１、２又は３に記載の家具の転倒防止装置において、
略水平に固定されたレールに少なくとも２個の家具保持部材が取り付けられ、それらの家具保持部材の当接面部が互いに対向して家具の両側面を挟持することを特徴とする家具の転倒防止装置。
【請求項５】
請求項１、２又は３に記載の家具の転倒防止装置において、
家具の天面に沿って略水平に固定されたレールに家具保持部材が取り付けられ、この家具保持部材の当接面部が家具の天面を下向きに押圧することを特徴とする家具の転倒防止装置。
【請求項６】
請求項１ないし５のいずれか１項に記載の家具の転倒防止装置において、
レールは、前面側の開口を挟んで相対するリップ部を備えた略溝形の断面形状をなし、
家具保持部材は、前記レールの溝内に遊挿されるナット部材と、該ナット部材に前面側から締結されるボルト部材とによってレールに取り付けられていることを特徴とする家具の転倒防止装置。
【請求項７】
請求項６に記載の家具の転倒防止装置において、
レールの溝内にナット部材の回転を防ぐ回り止めが設けられていることを特徴とする家具の転倒防止装置。
【発明の詳細な説明】
【技術分野】
【０００１】
本発明は、地震等に際して家具が転倒するのを防ぐ家具の転倒防止装置に関し、特に、家具の表面を傷つけずに家具を強固に保持し得る転倒防止装置に関する。
【背景技術】
【０００２】
タンスや書棚などの家具が地震の揺れによって倒れるのを防ぐために、これらの家具を壁面に沿って固定する家具の転倒防止装置が、後掲の特許文献１、２に開示されている。
【０００３】
これらの文献に記載された家具の転倒防止装置は、いずれも、壁に略溝形断面のレールを水平に取り付け、このレールに係合させた家具保持部材を家具の配置や大きさに合わせて固定し、その家具保持部材と家具とを連結する、という構成を採用している。この家具保持部材と家具との連結は、家具保持部材に設けた略板状の家具取付片を、家具の天板又は側板に対してビス止めすることにより行われている。
【特許文献１】特開平８−３０８６６０号公報
【特許文献２】特開平９−１００５５号公報
【発明の開示】
【発明が解決しようとする課題】
【０００４】
前記従来の家具の転倒防止装置は、家具保持部材と家具とをビス止めによって連結するものであるから、家具の側面や天面にビス孔が開いてしまうのを避けられないが、高価な家具や愛着のある家具にビス孔等の傷を付けることについては強い抵抗を感じる人も多いので、これが転倒防止装置の普及を妨げるおそれがある。
【０００５】
また、ビス止めによる連結手段は、地震時の振動によって簡単に緩んだり抜けたりするおそれもある。
【０００６】
さらに、例えば事業所等にて多用されるスチール家具（ロッカーやキャビネット等）に対しては、その側面や天面に家具保持部材をビス止めするという連結手段を用いることができないので現実的ではない。
【０００７】
本発明は、前述のような事情に鑑みてなされたものであって、家具の側面や天面に傷をつけることなく、家具をしっかりと強固に保持しうる家具の転倒防止装置を提供することを解決課題とする。
【課題を解決するための手段】
【０００８】
前述の目的を達成するため、本発明の請求項１に係る家具の転倒防止装置においては、壁に固定されるレールと、このレールに沿って移動可能かつ任意の位置に固定可能に取り付けられる家具保持部材とからなる家具の転倒防止装置において、前記家具保持部材は、家具の側面又は天面に当てがわれる平坦な当接面部を具備し、この当接面部に粘着シートが貼着されていることを特徴とする。
【０００９】
この構成によれば、家具保持部材の当接面部が、その平坦な表面に貼着された粘着シートを介して家具の側面又は天面に面接触することになるので、ビス止めのように家具を傷つけることなく、粘着シートの粘着力や摩擦力によって、家具をしっかりと保持することができる。また、平坦な当接面部は、木製の家具だけでなく、スチール家具に対しても好適に面接触するので、当該スチール家具に対してもしっかりと保持することができる。
【００１０】
前記粘着シートとしては、例えば天然ゴムや各種合成ゴムの他、アスファルト系、アクリル系、ウレタン系、スチレン系、ビニル系等の熱可塑性エラストマーや軟質樹脂その他の有機高分子化合物であって、適度な粘性と、適度な弾性又は可撓性を有し、家具との間に十分な摩擦力を生じる材料を好適に利用することができる。特に、高い減衰作用を有する粘弾性体を用いれば、優れた制震効果が得られるので、より一層望ましい。
【００１１】
前記粘着シートは、例えば、適当な可撓性材料からなる薄板状の基材や、あるいは発泡性樹脂等からなるクッション材に、前述のような粘性材料を付着させるなど、異種類の材料を組み合わせ、又は積層して形成されたものでもよいのである。又、粘着シートは、それ自体の粘着力をもって当接面部に貼着されてもよいし、他の接着剤等を介して当接面部に接着されるような構造のものでもよいのである。
【００１２】
前記当接面部に貼着する粘着シートの厚さは、適度な吸振性を得るために、概ね数ｍｍ程度を目安とする。また、安定した保持力を得るために、当接面部は、概ね数ｃｍ角程度以上の大きさとするのが好ましい。
【００１３】
なお、本発明は、前述のような材料の粘度（粘性率）や弾性係数等を厳密に特定するものではなく、また、粘性体、弾性体、粘弾性体等を特に区別して扱うものでもない。
【００１４】
本発明の請求項２に係る家具の転倒防止装置は、前記粘着シートに替えて、家具保持部材の当接面部に吸盤が取着されていることを特徴とする。
【００１５】
この構成によれば、家具保持部材の当接面部が吸盤を介して家具の側面又は天面に吸着する。吸盤を利用することによっても、前記請求項１に係る発明と同様に、家具を傷つけることなく、しっかりと保持することができる。
【００１６】
また、本発明の請求項３に係る家具の転倒防止装置は、前記家具保持部材の当接面部が、バネその他の弾性材によって家具への当接方向に付勢されていることを特徴とするものである。
【００１７】
この構成によれば、家具保持部材と家具との間に地震等による振動が作用した場合でも、当接面部が振動に追従して家具に押し当てられるので、安定した保持状態が維持される。弾性材としては、コイルバネ、板バネ、皿バネ、トーションバーなど、家具保持部材の形態や構造に応じた各種のバネを利用することができる。また、バネ以外にも、例えばウレタンその他の発泡性樹脂なども利用可能である。
【００１８】
本発明の請求項４に係る家具の転倒防止装置は、前述の家具保持部材による家具の保持形態を特定したものであって、略水平に固定されたレールに少なくとも２個の家具保持部材が取り付けられ、それらの家具保持部材の当接面部が互いに対向して家具の両側面を挟持することを特徴とする。
【００１９】
この構成は、家具保持部材の位置について幅方向に自由度を有するから、家具の位置や大きさに柔軟に対応することができる。また、家具保持部材によって家具を両側から挟持するので、左右方向の振動だけでなく、上下方向、前後方向の振動に対しても、最も安定した保持力が発揮される。これにより、引出しの抜け落ち等も防止される。
【００２０】
本発明の請求項５に係る家具の転倒防止装置は、前述の家具保持部材による他の家具保持形態を特定したものであって、家具の天面に沿って略水平に固定されたレールに家具保持部材が取り付けられ、該家具保持部材の当接面部が家具の天面を下向きに押圧することを特徴とする。
【００２１】
この構成は、例えば、同じ高さの家具が並置されるような場合に好適である。家具保持部材によって家具の天面を上から押さえつけることにより、上下方向の振動に加え、左右方向、前後方向の振動に対しても良好な保持力が発揮される。また、複数の家具を並べる場合、隣接する家具との間に家具保持部材を挟み込まなくてよいので、家具同士を隙間無く当接させることができる。
【００２２】
なお、家具保持部材によって家具の天面を押圧する場合には、家具保持部材の高さを家具の高さに合わせて微調整しうるよう、家具保持部材とレールとの間に適宜の高さ調整手段を設けるのも好ましい。
【００２３】
本発明の請求項６に係る家具の転倒防止装置においては、レールに対する家具保持部材の取付構造を特定したものであって、レールは、前面側の開口を挟んで相対するリップ部を備えた略溝形の断面形状をなし、該家具保持部材は、前記レールの溝内に遊挿されるナット部材と、該ナット部材に前面側から締結されるボルト部材とによってレールに取り付けられることを特徴とする。
【００２４】
この構成によれば、ボルト部材を緩めることにより、レールに沿って家具保持部材を円滑に摺動させることができるので、ボルト部材を締めることにより、家具保持部材をレールの任意の位置に強固に固定することができる。また、家具に作用する振動が、家具保持部材を介してレール全体で受け止められるので、装置全体として高い耐震強度が発揮されるのである。
【００２５】
この構成においては、レールの溝内にナット部材の回転を防ぐ回り止めが設けられているのが望ましい。回り止めは、レールの実質的な溝幅を、ナット部材の最大幅よりも小さくすることにより構成することができる。これにより、家具保持部材の位置決めに際してのボルト部材の締結作業が容易になる。さらに、ボルト部材を蝶ボルトとすれば、工具を使わずに締結することも可能になり、一層、作業性が向上するのである。
【発明の効果】
【００２６】
上述のように構成される本発明の家具の転倒防止装置は、レールに取り付けられる家具保持部材の当接面部に粘着シート又は吸盤が取り付けられ、それら粘着シート又は吸盤を介して家具の側面又は天面が押さえられるので、家具にはビス孔等の傷をつけることなく、家具をしっかりと強固に保持することができる。
【発明を実施するための最良の形態】
【００２７】
以下、本発明の実施の形態について図を参照しつつ説明する。
【００２８】
図１〜図３は、本発明の第１実施形態に係る家具の転倒防止装置を示し、図４及び図５は該転倒防止装置による家具の保持形態を示す。
【００２９】
本発明の転倒防止装置１は、壁に固定されるレール２と、該レール２に取り付けられる家具保持部材３、３とを主たる要素として構成される。
【００３０】
例示形態に係るレール２は、例えばアルミ押出型材等からなる長尺又は定尺の部材で、ウェブに相当する背板部２１の上下両縁に、フランジに相当する迫出部２２、２２が一体に形成された溝形の断面形状をなしている。この両迫出部２２、２２には、前面側の開口を挟んで相対するリップ部２３、２３が延設されている。前記背板部２１と前記リップ部２３とによって囲まれた空間が、家具保持部材３を移動可能に保持するための案内溝となる。
【００３１】
前記案内溝には、後述するナット部材４２が遊挿される。そして、この案内溝の内側には、前記ナット部材４２の空転を防ぐための回り止めが設けられている。例示の形態における回り止めは、背板部２１の前面に形成された上下２箇所の段部２４、２４と、リップ部２３、２３の背面に形成された上下２箇所の突条２５、２５とによって構成されている。
【００３２】
前記案内溝の外側に位置する迫出部２２は、その厚みによってレール２の曲げ剛性を担保するとともに、レール２を壁Ｗに固定するためのビス止め部を兼ねている。そのため、迫出部２２には、長さ方向に適宜間隔で皿孔２６が形成されている。この皿孔２６に挿入したビス（図示せず）を適宜の壁下地材に打ち込むことにより、レール２が壁Ｗに固定される。なお、レール２は、その前面が壁Ｗと面一になるように、壁Ｗに埋め込まれた状態で固定されてもよい。
【００３３】
また、例示の形態にあっては、レール２の強度を確保しつつ成形に要する材料を節約するために、背板部２１の裏側と、迫出部２２の内側に、それぞれ肉欠部２７、２８が形成されている。
【００３４】
前記家具保持部材３は、略Ｌ字形に屈曲された金属板体からなり、一方の片部がレール取付片３１となされ、これに直交する他方の片部が家具押え片３２となされている。
【００３５】
この家具保持部材３は、ボルト部材４１及びナット部材４２を介してレール２に取り付けられる。例示の形態では、ナット部材４２として六角ナットが用いられ、このナット部材４２がレール２の案内溝に遊挿されている。また、ボルト部材４１として蝶ボルトが用いられている。ボルト部材４１の軸部は、レール取付片３１に形成されたボルト孔３３に前面側から挿通され、更にレール２のリップ部２３を挟んでナット部材４２に螺着されている。図１〜３中の符号４３は、ボルト部材４１の頭部とレール取付片３１との間に介装された座金である。
【００３６】
前記レール２に対する家具保持部材３の取付構造をこのように構成することにより、ボルト部材４１を緩めると、レール２に沿って家具保持部材３を任意の位置に移動させることができるのであり、逆に、ボルト部材４１を締めると、家具保持部材３をレール２に固定することができる。
【００３７】
又、前記レール２の案内溝に形成された上述の回り止めは、段部２４、２４の上下間隔及び突条２５、２５の上下間隔が、ナット部材４２の二面幅よりもわずかに大きく、かつ、該ナット部材４２の対角距離よりは小さくなるように設定されているので、この回り止めに当該ナット部材４２が干渉して、案内溝内での姿勢が拘束される。
【００３８】
前記家具保持部材３が前記レール２に取り付けられた状態において、家具押え片３２はレール２の前面に対し直交する姿勢で保持される。家具押え片３２は、レール取付片３１の延設方向とは反対側の面が平坦な当接面部となされており、この当接面部に粘着シート３４が貼着されている。
【００３９】
前記粘着シート３４は、例えば、粘性を有する合成ゴムを厚さ数ｍｍ程度の板状に成形したものである。この粘着シート３４が、家具押え片３２における当接面部の略全面か、それよりもひと回り程度小さい範囲に貼着されている。本発明に係る家具Ｆの転倒防止装置１は、この平坦な当接面部に貼着された粘着シート３４を家具Ｆの側面又は天面に面接着させるものであり、これによって、家具Ｆを傷つけずに、しっかりと保持することができるのである。
【００４０】
前記粘着シート３４には、例えば天然ゴムや各種合成ゴムの他、アスファルト系、アクリル系、ウレタン系、スチレン系、ビニル系等の熱可塑性エラストマーや軟質樹脂その他の有機高分子化合物であって、適度な粘性と、適度な弾性又は可撓性を有し、家具Ｆとの間に十分な摩擦力を生じる材料を好適に利用することができる。特に、高い減衰作用を有する粘弾性体を用いれば、極めて優れた制震効果が得られるので、より一層望ましい。
【００４１】
又、前記粘着シート３４は、例えば、適当な可撓性材料からなる薄板状の基材や、あるいは発泡性樹脂等からなるクッション材に、前記のような粘性材料を付着させるなど、異種類の材料を組み合わせ、又は積層して形成されてもよいのである。この粘着シート３４は、それ自体の粘着力をもって当接面部に貼着されてもよいし、他の接着剤等を介して当接面部に接着されてもよい。粘着シート３４の表面には、家具Ｆとの摩擦力を高める凹凸加工等が施されていてもよいのである。
【００４２】
図４、５に示した家具の保持形態は、最も基本的で、かつ、安定的な保持力が得られる形態である。レール２は壁Ｗに略水平に固定され、このレール２に少なくとも２個の家具保持部材３が取り付けられる。家具保持部材３は、互いの家具押え片３２を縦向きにして対向し、家具Ｆの両側面を左右から挟持する。
【００４３】
この保持形態は、家具保持部材３の位置について幅方向に自由度を有するから、家具Ｆの配置や大きさに柔軟に対応することができる。この場合、家具Ｆは両側から挟持されるので、左右方向の振動だけでなく、上下方向、前後方向の振動に対しても、安定的に保持される。
【００４４】
前記の転倒防止装置１による他の家具保持形態について、図６〜１２に、いくつかの例を示す。
【００４５】
家具Ｆの高さや重量が大きい場合には、図６に示すように、レール２を２本、上下方向に高さを変えて配置し、各レール２、２に家具保持部材３、３を２個ずつ取り付けて、家具Ｆの上部付近と中間部付近をそれぞれ挟持するようにしてもよい。
【００４６】
また、図７に示すように、１本の長いレール２を家具Ｆの幅以上にわたって固定するのではなく、家具Ｆの左右の側面と重なる位置に、それぞれ短いレール２、２を取り付けて、各レール２、２に家具保持部材３、３を取り付けてもよい。更に、この場合、左右のレール２、２の高さが多少食い違っていてもよい。壁Ｗの下地構造等によっては、１本の長いレール２を壁Ｗに連続的に固定することが困難な場合もあり得るが、そのような条件下では例示のような保持形態も有効である。
【００４７】
また、図８に示すように、家具Ｆが部屋の入隅コーナに配置されて、家具Ｆの一方の側面が一方の壁Ｗｂに接する場合には、家具Ｆの他方の側面のみを１個の家具保持部材３で前記一方の壁Ｗｂ向きに押さえるように保持してもよい。
【００４８】
図９、１０に示した家具の保持形態は、家具Ｆの天面を家具保持部材３によって上から押さえつける形態である。レール２は、家具Ｆの天面に沿って、天面よりもやや高い位置に略水平に固定される。このレール２に、家具Ｆの幅に応じた適宜個数の家具保持部材３が取り付けられる。家具保持部材３は、家具押え片３２を水平にして家具Ｆの天面に下向きに押圧され、床面との間に家具Ｆを挟持する。この保持形態によれば、上下方向の振動に加え、左右方向、前後方向の振動に対しても良好な保持力が発揮される。
【００４９】
この保持形態は、高さの揃った家具Ｆが複数個、並置されるような態様には特に好適である。また、複数の家具Ｆを並べる場合、隣接する家具Ｆとの間に家具保持部材３を挟み込まなくてよいので、家具同士を隙間無く並べるのにも適する。
【００５０】
なお、この保持形態にあっては、家具Ｆ自体の寸法誤差、床面の不陸や床仕上げ材の変形、載置時の傾き等により、家具Ｆの天面とレール２の高さとが不整合を来たすおそれがある。そこで、図１１に示すように、家具保持部材３の高さ調整手段として、例えばレール取付片３１に形成するボルト孔３３を、上下方向に延びた長孔状にするなどの構成を採用してもよい。
【００５１】
図１２に示した形態は、レール２を縦向きに固定することにより、家具保持部材３に上下方向の自由度を与えたものである。家具保持部材３は、家具押え片３２を水平にしてレール２に取り付けられ、家具Ｆの天面を下向きに押圧して、床面との間に家具Ｆを挟持する。この保持形態によっても、図９、１０に示した保持形態と同様に、上下方向の振動に加え、左右方向、前後方向の振動に対する良好な保持力が発揮される。
【００５２】
図１３は、家具保持部材３についての第２実施形態を示す。この形態に係る家具保持部材３は、レール取付片３１と家具押え片３２とからなる略Ｌ字形の形状を有し、レール取付片３１がボルト部材４１及びナット部材４２を介してレール２に取り付けられる点は、上述した第１実施形態に係る家具保持部材３と共通している。
【００５３】
ただし、家具押え片３２の当接面部には、粘着シート３４に替えて、吸盤３６が取着されている。吸盤３６は、家具Ｆの側面又は天面への圧接によって家具Ｆに吸着し、家具Ｆを傷つけずに、しっかりと保持する。
【００５４】
なお、この構成においては、吸盤３６の吸着面がレール取付片３１に対して直交するように保持されていればよく、家具押え片３２の当接面部自体が平坦である必要はない。また、吸盤３６は、小径のものを複数個、並べて取り付けるようにしてもよい。
【００５５】
図１４は、家具保持部材３についての第３実施形態を示す。この形態に係る家具保持部材３も、レール取付片３１と家具押え片３２とからなる略Ｌ字形の形状を有し、レール取付片３１がボルト部材４１及びナット部材４２を介してレール２に取り付けられる点は、上述した第１実施形態に係る家具保持部材３と共通している。
【００５６】
家具押え片３２には、これとは別体に形成された当接板３８が取り付けられている。当接板３８は平坦な当接面部を有し、その表面には薄い粘着シート３４が貼着されている。当接板３８は、バネ等からなる弾性材３９を介して家具押え片３２と略平行に取り付けられ、その弾性材３９によって家具Ｆへの当接方向に付勢されている。
【００５７】
この構成によれば、家具保持部材３と家具Ｆとの間に地震等による振動が作用した場合でも、弾性材３９の作用によって当接板３８が振動に追従して家具Ｆに押し当てられ、安定した保持状態が維持される。この当接板３８を付勢する弾性材３９の種類としては、コイルバネ、板バネ、皿バネ、トーションバーなど、家具保持部材３の形態や構造に応じた各種のバネを利用することができる。また、バネ以外に、例えばゴムや、ウレタンその他の発泡性樹脂等、あるいはこれらに類した公知の弾性材料も広く利用することができる。
【図面の簡単な説明】
【００５８】
【図１】図１は、本発明の第１実施形態に係る家具の転倒防止装置の全体構成を示す斜視図である。
【図２】図２は、前記転倒防止装置におけるレールと家具保持部材との取付構造を示す横断面図である。
【図３】図３は、同じく、レールと家具保持部材との取付構造を示す縦断面図である。
【図４】図４は、前記転倒防止装置による家具の保持形態を示す正面図である。
【図５】図５は、同じく、家具の保持形態を示す側面図である。
【図６】図６は、前記転倒防止装置による他の家具保持形態を示す正面図である。
【図７】図７は、前記転倒防止装置による更に他の家具保持形態を示す正面図である。
【図８】図８は、前記転倒防止装置による更に他の家具保持形態を示す正面図である。
【図９】図９は、前記転倒防止装置による更に他の家具保持形態を示す正面図である。
【図１０】図１０は、図９に示した家具保持形態の側面図である。
【図１１】図１１は、図９及び図１０に示した転倒防止装置における高さ調整手段の構成例を示す部分正面図である。
【図１２】図１２は、前記転倒防止装置による更に他の家具保持形態を示す正面図である。
【図１３】図１３は、本発明の第２実施形態に係る家具保持部材の構成を示す上面図である。
【図１４】図１４は、本発明の第３実施形態に係る家具保持部材の構成を示す上面図である。
【符号の説明】
【００５９】
Ｆ  家具
Ｗ  壁
１  転倒防止装置
２  レール
２３  リップ部
３  家具保持部材
３４  粘着シート
３６  吸盤
３９  弾性材
４１  ボルト部材
４２  ナット部材
【図１】
2009119142.tif 000003
【図２】
2009119142.tif 000004
【図３】
2009119142.tif 000005
【図４】
2009119142.tif 000006
【図５】
2009119142.tif 000007
【図６】
2009119142.tif 000008
【図７】
2009119142.tif 000009
【図８】
2009119142.tif 000010
【図９】
2009119142.tif 000011
【図１０】
2009119142.tif 000012
【図１１】
2009119142.tif 000013
【図１２】
2009119142.tif 000014
【図１３】
2009119142.tif 000015
【図１４】
2009119142.tif 000016